(57)【要約】  継手に装着する際の作業性を向上することができる継手カバーを提供する。継手の外側に設けられる継手カバー（１０Ａ）において、開口を有し、前記継手の一側を収容する第１カバー体（１２）と、前記第１カバー体（１２）に着脱可能な第２カバー体（１４）とを備え、前記第１カバー体（１２）と前記第２カバー体（１４）が接触して形成される分割位置（Ｄ１）が、前記第２カバー体（１４）側に偏った位置に形成されることを特徴とする。
2015098684.tif 000002
【特許請求の範囲】
【請求項１】
継手の外側に設けられる継手カバーにおいて、
開口を有し、前記継手の一側を収容する第１カバー体と、
前記第１カバー体に着脱可能な第２カバー体と
を備え、
前記第１カバー体と前記第２カバー体が接触して形成される分割位置が、前記第２カバー体側に偏った位置に形成されることを特徴とする継手カバー。
【請求項２】
前記継手に接続される管体が挿入される、保護チューブの外周を保持する保持部を備え、
前記保持部は、
前記第１カバー体に形成された第１保持部と
前記第２カバー体に形成された第２保持部と
からなり、
前記第２保持部は、前記保護チューブの外周に接触する凸部を有し、
前記凸部は、前記第１保持部の内側に配置される
ことを特徴とする請求項１記載の継手カバー。
【請求項３】
前記継手に形成された端子部を覆う部分において、前記分割位置が、前記継手の外周の略中央に形成されることを特徴とする請求項１又は２記載の継手カバー。
【請求項４】
前記継手の端子部に対応する位置に、操作窓が形成されていることを特徴とする請求項１〜３のいずれか１項記載の継手カバー。
【請求項５】
前記継手の端子部の外周が露出し得るように形成されていることを特徴とする請求項１又は２記載の継手カバー。
【発明の詳細な説明】
【技術分野】
【０００１】
本発明は、継手カバーに関し、特に尿素水供給用配管に用いられる継手に設けられる継手カバーに関する。
【背景技術】
【０００２】
尿素水供給用配管は、ディーゼルエンジンなどの内燃機関において、窒素酸化物（以下「ＮＯｘ」という）を浄化する排気浄化システムに用いられる。この排気浄化システムとしては、内燃機関の排気通路に設けられた触媒と、当該触媒の上流側に設けられた尿素水添加弁とを備える排気浄化システムが開示されている（例えば、特許文献１）。尿素水は、タンク内に貯留されており、ポンプによって尿素水供給用配管を通じて尿素水添加弁に圧送され、尿素水添加弁から排気通路内に添加される。これにより、尿素水がアンモニアに分解され、触媒上でアンモニアにより排気中のＮＯｘが選択的に還元されることにより、排気が浄化される。【０００３】
尿素水は−１１℃程度で凍結するので、使用環境によっては尿素水供給用配管内において尿素水が凍結してしまい、尿素水を排気通路内に供給できない場合がある、という問題がある。【０００４】
これに対し、尿素水供給用配管に接続され、尿素水を加熱するヒータ線を設けた継手が開示されている（例えば特許文献２）。またこの継手には、風除けのための継手カバーが設けられている。継手カバーは、対称な形状を有する２個のハウジングからなり、一方のハウジングに継手を装着し、継手に被せるように他方のハウジングを一方のハウジングに固定することにより、継手に取り付けられる。
【先行技術文献】
【特許文献】
【０００５】
【特許文献１】特開２０１０−７１２７０号公報
【特許文献２】米国特許第８，５２６，８０１号明細書
【発明の概要】
【発明が解決しようとする課題】
【０００６】
上記特許文献２の場合、ハウジングが対称な形状を有するので、一方のハウジングが覆うことができる範囲は継手の外周の半分に過ぎないため、一方のハウジングに継手を装着した際に、継手が安定しない。このため継手に継手カバーを取り付ける際の作業性が悪いという問題がある。また、他方のハウジングを一方のハウジングに固定して継手を継手カバーで覆う際に、ハウジング同士の間にヒータ線を挟み込みやすいという問題がある。【０００７】
そこで、本発明は、継手に装着する際の作業性を向上することができる継手カバーを提供することを目的とする。
【課題を解決するための手段】
【０００８】
本発明に係る継手カバーは、継手の外側に設けられる継手カバーにおいて、開口を有し、前記継手の一側を収容する第１カバー体と、前記第１カバー体に着脱可能な第２カバー体とを備え、前記第１カバー体と前記第２カバー体が接触して形成される分割位置が、前記第２カバー体側に偏った位置に形成されることを特徴とする。
【発明の効果】
【０００９】
本発明によれば、分割位置が第２カバー体側に偏った位置に形成されることにより、第１カバー体が継手の外周の半分超を収容し得る。これにより継手に第１カバー体を装着する際、継手を第１カバー体でより安定して保持することができるので、継手に装着する際の作業性を向上することができる。
【図面の簡単な説明】
【００１０】
【図１】第１実施形態に係る継手カバーの使用状態を示す斜視図である。
【図２】第１実施形態に係る継手カバーの全体構成を示す分解斜視図である。
【図３】第１実施形態に係る継手カバーの全体構成を示す、図２と逆側から見た分解斜視図である。
【図４】第１実施形態に係る継手カバーの端面図である。
【図５】第１実施形態に係る継手カバーを継手に取り付ける様子を示す斜視図である。
【図６】第１実施形態の変形例に係る継手カバーの構成を示す分解斜視図である。
【図７】第２実施形態に係る継手カバーの構成を示す斜視図である。
【図８】第２実施形態に係る継手カバーの構成を示す分解斜視図である。
【図９】第２実施形態の変形例に係る継手カバーの構成を示す分解斜視図である。
【図１０】第１実施形態に係る継手カバーの構成を示す斜視図である。
【図１１】第１実施形態に係る継手カバーの構成を示す正面図である。
【図１２】第１実施形態に係る継手カバーの構成を示す背面図である。
【図１３】第１実施形態に係る継手カバーの構成を示す左側面図である。
【図１４】第１実施形態に係る継手カバーの構成を示す右側面図である。
【図１５】第１実施形態に係る継手カバーの構成を示す平面図である。
【図１６】第１実施形態に係る継手カバーの構成を示す底面図である。
【図１７】第１実施形態に係る継手カバーの構成を示す分解斜視図である。
【図１８】第１実施形態の変形例に係る継手カバーの構成を示す斜視図である。
【図１９】第１実施形態の変形例に係る継手カバーの構成を示す正面図である。
【図２０】第１実施形態の変形例に係る継手カバーの構成を示す背面図である。
【図２１】第１実施形態の変形例に係る継手カバーの構成を示す左側面図である。
【図２２】第１実施形態の変形例に係る継手カバーの構成を示す右側面図である。
【図２３】第１実施形態の変形例に係る継手カバーの構成を示す平面図である。
【図２４】第１実施形態の変形例に係る継手カバーの構成を示す底面図である。
【図２５】第１実施形態の変形例に係る継手カバーの構成を示す分解斜視図である。
【図２６】第２実施形態に係る継手カバーの構成を示す斜視図である。
【図２７】第２実施形態に係る継手カバーの構成を示す正面図である。
【図２８】第２実施形態に係る継手カバーの構成を示す背面図である。
【図２９】第２実施形態に係る継手カバーの構成を示す左側面図である。
【図３０】第２実施形態に係る継手カバーの構成を示す右側面図である。
【図３１】第２実施形態に係る継手カバーの構成を示す平面図である。
【図３２】第２実施形態に係る継手カバーの構成を示す底面図である。
【図３３】第２実施形態に係る継手カバーの構成を示す分解斜視図である。
【図３４】第２実施形態の変形例に係る継手カバーの構成を示す斜視図である。
【図３５】第２実施形態の変形例に係る継手カバーの構成を示す正面図である。
【図３６】第２実施形態の変形例に係る継手カバーの構成を示す背面図である。
【図３７】第２実施形態の変形例に係る継手カバーの構成を示す左側面図である。
【図３８】第２実施形態の変形例に係る継手カバーの構成を示す右側面図である。
【図３９】第２実施形態の変形例に係る継手カバーの構成を示す平面図である。
【図４０】第２実施形態の変形例に係る継手カバーの構成を示す底面図である。
【図４１】第２実施形態の変形例に係る継手カバーの構成を示す分解斜視図である。
【発明を実施するための形態】
【００１１】
以下、図面を参照して本発明の実施形態について詳細に説明する。本明細書で用いる「上」、「下」は、それぞれ図面における「上」、「下」を示しており、説明の便宜上、用いているに過ぎず、実際上、上下が逆になっても、また左右に配置されるようになってもよいことは言うまでもない。
【００１２】
１．第１実施形態
（１）全体構成
図１に示す継手カバー１０Ａは、第１カバー体１２と第２カバー体１４とを備え、継手１６Ａの外側に設けられる。継手１６Ａには、管体として尿素水供給用配管２０が接続されている。尿素水供給用配管２０は、保護チューブとしてのコルゲートチューブ２２内に挿入されている。
【００１３】
図２に示すように、継手カバー１０Ａは、第１カバー体１２と第２カバー体１４とによって上下方向に２分割し得るように形成されている。第１カバー体１２と第２カバー体１４の分割位置Ｄ１は、継手１６Ａの外周の中央より第２カバー体１４側に偏った位置に形成されている。すなわち、第１カバー体１２が継手カバー１０Ａの外周の半分超、例えば外周の２／３を占める。また第２カバー体１４が継手カバー１０Ａの外周の半分未満、例えば外周の１／３を占めるように構成されている。継手カバー１０Ａは、特に限定されないが、合成樹脂で形成され、例えば、ポリアミド（芳香族ポリアミドを含む）、ポリブチレンテレフタレート、ポリエチレンテレフタラート、ポリエチレン、ポリ塩化ビニル、ABS、ポリプロピレン、ポリアセタール、ポリエーテルケトン、フッ素樹脂などで形成されるのが好ましい。
【００１４】
第１カバー体１２は、本図において、上方に開口を有し、略矩形状の底面１３と、当該底面１３の両側に一体に形成された側面１５とを有する容器形状の部材で構成される。底面１３から側面１５の上端までの長さが、継手１６Ａの外径の半径より長くなるように形成されている。すなわち側面１５は、上端が、第１カバー体１２に装着された継手１６Ａの側部を覆う高さになるように、形成されている。
【００１５】
第１カバー体１２の一端には、コルゲートチューブ２２を保持する第１保持部２４が設けられている。第１保持部２４は、複数の薄板状の部材で構成され、湾曲した凹形状の底部２５と、当該底部２５の両端に形成された壁部２６とを有する。壁部２６は、底部２５から上端までの長さが、コルゲートチューブ２２の外径の半径より長くなるように形成されている。これにより第１保持部２４は、底部２５と壁部２６とにより、コルゲートチューブ２２の下部及び側部を保持し得る。
【００１６】
第１カバー体１２は、第１保持部２４に隣接して、ヒータ線（図示しない）を収容する第１収容部２７が設けられている。第１収容部２７は、湾曲した凹形状の底部２９と、当該底部２９の両端に形成された収容壁部３１とを有する。ヒータ線は、複数本を束ねた状態で第１収容部２７に収容される。収容壁部３１は、底部２９から収容壁部３１の上端までの長さが、束ねたヒータ線の全体の外径よりも長くなるように形成されている。
【００１７】
第２カバー体１４は、第１カバー体１２の開口を閉塞し得るように形成された蓋状の部材で構成される。第２カバー体１４の一端には、コルゲートチューブ２２の上部を保持する第２保持部２８が設けられている。第２保持部２８は、複数の薄板状の部材で構成され、湾曲した凹形状に形成されており、両端に凸部２３が形成されている。凸部２３は、第１カバー体１２に向かって突出した形状を有する。
【００１８】
第２カバー体１４は、第２保持部２８に隣接して、第１収容部２７の開口を閉塞する第２収容部３３が設けられている。第２収容部３３は、湾曲した凹形状に形成されており、両端に凸部３５が形成されている。
【００１９】
図３に示すように、第１カバー体１２は、他端に、第１外周保持部３７が設けられている。第１外周保持部３７は、湾曲した凹形状に形成されており、側面１５と一体に形成されている。第２カバー体１４は、他端に、第２外周保持部３９が設けられている。第２外周保持部３９は、湾曲した凹形状に形成されている。第２カバー体１４は、後述する継手１６Ａに設けられた操作部を露出し得るように形成されている。
【００２０】
継手１６Ａは本図に示すように、端子部としての、第１端子部３０と、当該第１端子部３０と同軸上に形成された第２端子部３２とを備える。第１端子部３０には、操作部１８が設けられている。この操作部１８は、第１端子部３０に挿入された管体としての配管（図示しない）と継手１６Ａとを結合した状態及び抜き差し可能な状態にする固定機構を操作し得るように形成されている。第２端子部３２には、尿素水供給用配管２０が接続される。
【００２１】
継手カバー１０Ａは、図４に示すように、第１カバー体１２の開口を閉塞するように第２カバー体１４を配置し、第１カバー体１２に第２カバー体１４を固定することにより、保持部４１と収容部４３が形成される。すなわち、保持部４１は、第１保持部２４と第２保持部２８とにより形成される。第２保持部２８の凸部２３は、第１保持部２４の壁部２６の内側に配置される。収容部４３は、第１収容部２７と第２収容部３３とにより形成される。また図示しないが、第１外周保持部３７と第２外周保持部３９とにより、外周保持部が形成される。
【００２２】
上記のように構成された継手カバー１０Ａの装着方法を説明する。まず、図５に示すように、尿素水供給用配管２０が接続された継手１６Ａに第１カバー体１２を装着する。第１保持部２４は、コルゲートチューブ２２の外周に形成された溝に挿入され、コルゲートチューブ２２の下部及び側部を保持する。このとき、第１カバー体１２は、側面１５が継手１６Ａの側部を覆う高さに形成されていることにより、継手１６Ａをより安定して保持することができる。また、図示しないがヒータ線を第１収容部２７に収容し、第１カバー体１２の外部へ引き出す。
【００２３】
次いで、第１カバー体１２の開口及び継手１６Ａを覆うように、第２カバー体１４を第１カバー体１２に固定することにより、継手１６Ａは、継手カバー１０Ａに覆われる。（図１）。第２保持部２８は、コルゲートチューブ２２の外周に形成された溝に挿入され、コルゲートチューブ２２の上部を保持する。これにより、コルゲートチューブ２２は、保持部４１で保持される。またヒータ線は、収容部４３を通じて継手カバー１０Ａの外部へ引き出される。さらに継手１６Ａの第１端子部３０側は、外周保持部で保持される。本実施形態の場合、継手１６Ａの第１端子部３０は、継手カバー１０Ａに覆われておらず、露出している。本実施形態に係る継手カバー１０Ａの詳細図を図１０〜図１７に示す。
【００２４】
（２）作用及び効果
上記のように第１カバー体１２は、側面１５が継手１６Ａの側部を覆う高さに形成されていることにより、継手１６Ａの外周の半分超を収容し得る。これにより第１カバー体１２は、継手１６Ａに第１カバー体１２を装着する際、継手１６Ａをより安定して保持することができる。したがって、継手カバー１０Ａは、継手１６Ａに装着する際の作業性を向上することができる。
【００２５】
第２保持部２８は、凸部２３が第１保持部２４の壁部２６の内側に配置されることにより、コルゲートチューブ２２の上部をより確実に保持することができる。したがって継手カバー１０Ａは、第１カバー体１２に第２カバー体１４を固定するだけで、コルゲートチューブ２２をより確実に保持することができるので、継手１６Ａに装着する際の作業性を向上することができる。
【００２６】
収容壁部３１は、底部２９から収容壁部３１の上端までの長さが、ヒータ線の外径よりも長くなるように形成されているので、ヒータ線をより確実に収容することができる。したがって、継手カバー１０Ａは、継手１６Ａに装着する際に、ヒータ線を挟み込むことを防止することができるので、作業性をより向上することができる。
【００２７】
第１カバー体１２と第２カバー体１４は、分割位置が中央より第２カバー体１４の方向にずれているので、非対称の形状を有する。したがって継手カバー１０Ａは、継手１６Ａに装着する際に、第１カバー体１２と第２カバー体１４の取違いを防止することができるので、作業順序を統一化することができ、作業性をより向上することができる。
【００２８】
継手カバー１０Ａは、第１端子部３０に設けられた操作部１８が露出するように形成されていることにより、継手１６Ａに装着したままの状態で操作部１８を操作し、配管を第１端子部３０に着脱することができる。したがって継手カバー１０Ａは、配管の接続作業性を向上することができる。
【００２９】
（３）変形例
上記第１実施形態の継手カバー１０Ａは、第１端子部３０と第２端子部３２とが同軸上に設けられた継手１６Ａに適用する場合について説明したが、本発明はこれに限らない。例えば、図６に示すように、第１端子部３０の中心軸と第２端子部３２の中心軸とが直交するように配置された、いわゆるエルボ型の継手１６Ｂに適用してもよい。この場合、継手カバー１０Ｂは、継手１６Ｂの形状に合わせて、第１カバー体３４と第２カバー体３６とがエルボ型に形成されている。本変形例に係る継手カバー１０Ｂの詳細図を図１８〜図２５に示す。
【００３０】
２．第２実施形態
（１）全体構成
次に、本発明の第２実施形態に係る継手カバー１０Ｃについて説明する。本実施形態に係る継手カバー１０Ｃは、外周保持部の構成が、上記第１実施形態と異なる。上記第１実施形態と同様の構成については同様の符号を付し、説明を省略する。
【００３１】
図７に示す継手カバー１０Ｃは、第１カバー体３８と第２カバー体４０とを備える。継手カバー１０Ｃは、第１カバー体３８と第２カバー体４０とによって、本図中左右方向に２分割し得るように形成されている。第１カバー体３８と第２カバー体４０の分割位置Ｄ２は、第２カバー体４０側に偏った位置に形成されている。
【００３２】
図８に示すように第１カバー体３８に設けられた第１外周保持部４２は、中心軸を挟んで一側に第１外周壁部４５が形成されている。第１外周壁部４５は、高さが第１端子部５０の外径の半径と略同じ長さであって、側面１５と一体に形成されている。また第１外周保持部４２の中心軸を挟んで他側は、側面１５が取り除かれた第１切欠き部４４が形成されている。
【００３３】
第２カバー体４０に設けられた第２外周保持部４６は、中心軸を挟んで一側に第２外周壁部４７が形成されている。第２外周壁部４７は、高さが第１端子部５０の外径の半径と略同じ長さに形成されている。また第２外周保持部４６の中心軸を挟んで他側は、第２切欠き部４８が形成されている。
【００３４】
本図に示すように、継手１６Ｃは、第１端子部５０と、当該第１端子部５０と同軸上に形成された第２端子部５２とを備える。第１端子部５０には、中心軸を挟んで他側に操作部５４が設けられている。本実施形態に係る継手カバー１０Ｃの詳細図を図２６〜図３３に示す。
【００３５】
上記のように構成された継手カバー１０Ｃは、第１カバー体３８の開口を閉塞するように第２カバー体４０を配置し、第１カバー体３８に第２カバー体４０を固定することにより、外周保持部が形成される。すなわち、第１外周保持部４２と第２外周保持部４６とにより外周保持部が形成される。外周保持部は、第１外周壁部４５と第２外周壁部４７とにより、中心軸を挟んで第１端子部５０の一側を覆う。この第１端子部５０の一側における分割位置は、継手１６Ｃの外周の略中央に形成される。また、外周保持部の他側には、第１切欠き部４４と第２切欠き部４８とにより、操作窓が形成される。当該操作窓を通じて継手１６Ｃの操作部５４が露出する。
【００３６】
（２）作用及び効果
本実施形態に係る継手カバー１０Ｃは、第１カバー体３８の側面１５が継手１６Ｃの側部を覆う高さに形成されているので、上記第１実施形態と同様の効果を得ることができる。
【００３７】
また本実施形態の場合、第１外周壁部４５と第２外周壁部４７は、それぞれ第１端子部５０の外径の半径と略同じ長さになるように形成されていることにより、第１端子部５０の一側における分割位置が、継手１６Ｃの外周の略中央に形成される。したがって継手カバー１０Ｃは、第１端子部５０を覆う部分を小型化することができる。
【００３８】
（３）変形例
上記第２実施形態の継手カバー１０Ｃは、第１端子部５０と第２端子部５２とが同軸上に設けられた継手１６Ｃに適用する場合について説明したが、本発明はこれに限らない。例えば、図９に示すように、第１端子部５０の中心軸と第２端子部５２の中心軸とが直交するように配置された、いわゆるエルボ型の継手１６Ｄに適用してもよい。この場合、継手カバー１０Ｄは、継手１６Ｄの形状に合わせて、第１カバー体５６と第２カバー体５８とがエルボ型に形成されている。本変形例に係る継手カバー１０Ｄの詳細図を図３４〜図４１に示す。
【００３９】
３．変形例
本発明は上記実施形態に限定されるものではなく、本発明の趣旨の範囲内で適宜変更することが可能である。
【符号の説明】
【００４０】
１０Ａ、１０Ｂ、１０Ｃ、１０Ｄ    継手カバー
１２    第１カバー体
１４    第２カバー体
１６Ａ、１６Ｂ、１６Ｃ、１６Ｄ    継手
２０    尿素水供給用配管（管体）
２２    コルゲートチューブ（保護チューブ）
２３    凸部
２４    第１保持部
２８    第２保持部
３０    第１端子部（端子部）
３２    第２端子部（端子部）
４１    保持部
Ｄ１    分割位置
【図１】
2015098684.tif 000003
【図２】
2015098684.tif 000004
【図３】
2015098684.tif 000005
【図４】
2015098684.tif 000006
【図５】
2015098684.tif 000007
【図６】
2015098684.tif 000008
【図７】
2015098684.tif 000009
【図８】
2015098684.tif 000010
【図９】
2015098684.tif 000011
【図１０】
2015098684.tif 000012
【図１１】
2015098684.tif 000013
【図１２】
2015098684.tif 000014
【図１３】
2015098684.tif 000015
【図１４】
2015098684.tif 000016
【図１５】
2015098684.tif 000017
【図１６】
2015098684.tif 000018
【図１７】
2015098684.tif 000019
【図１８】
2015098684.tif 000020
【図１９】
2015098684.tif 000021
【図２０】
2015098684.tif 000022
【図２１】
2015098684.tif 000023
【図２２】
2015098684.tif 000024
【図２３】
2015098684.tif 000025
【図２４】
2015098684.tif 000026
【図２５】
2015098684.tif 000027
【図２６】
2015098684.tif 000028
【図２７】
2015098684.tif 000029
【図２８】
2015098684.tif 000030
【図２９】
2015098684.tif 000031
【図３０】
2015098684.tif 000032
【図３１】
2015098684.tif 000033
【図３２】
2015098684.tif 000034
【図３３】
2015098684.tif 000035
【図３４】
2015098684.tif 000036
【図３５】
2015098684.tif 000037
【図３６】
2015098684.tif 000038
【図３７】
2015098684.tif 000039
【図３８】
2015098684.tif 000040
【図３９】
2015098684.tif 000041
【図４０】
2015098684.tif 000042
【図４１】
2015098684.tif 000043
【国際調査報告】
2015098684.tif 000044
2015098684.tif 000045
2015098684.tif 000046
2015098684.tif 000047